(57)【要約】検索が容易なインターネット検索システム及び方法を開示する。本発明のシステム及び方法において、使用者は多様なウェブサイト情報をカテゴリ別に分類してデータベースに記憶し、使用者が検索エンジンにより検索を行うとき、使用者が接続したウェブサイトの特性を使用者のインターネット接続手段に形成されたクッキー及び／又はインターネット一時ファイルを用いて分析し、分析特性によって検索結果をまず出力して、迅速で便利な検索ができるようにするとともにウェブサイトの検索ができるようにし、使用者の位置付近の検索結果をディスプレイすることができ、一般のキーワード型検索エンジン、フロント−エンド型検索エンジン及び知能型検索エンジンに分類されるキーワード型検索エンジンと、主題別検索エンジンで多様な形態の検索が行えるようにする。
2004510257.tif 000002
【特許請求の範囲】
【請求項１】
インターネットに接続し、多様なウェブサイトを検索して所望の情報を獲得するためのもので、使用者が接続したウェブサイトに関する情報が自動に記憶されるクッキー（１１）及び／又はインターネット一時ファイル（１２）、一位置からほかの位置にデータパケットを伝送し、データ流れを管理し、ネットワークを介してデータが伝送されるとき、データが正しいか否かを判断するＴＣＰ／ＩＰ（１３）、ＧＰＳ又はＧＩＳを含む位置データ伝送手段（１４）、前記インターネットに連結される通信手段（１５）、及び感知又は人工知能ロボット（１６）からなる使用者端末機（１０）と、
前記位置データ伝送手段（１４）から伝送された位置データを受信する位置データ受信手段（３３）、受信した位置データを分析する位置データ分析手段（３４）、人工知能ロボットが収集して分類したデータが記憶される多数のデータベース（３５、３５’、３５”）、前記データベースを管理し、命令に応じて結果を選択して提供する多数の検索エンジンサブサーバー（３２、３２’、３２”）、前記サブサーバー（３２、３２’、３２”）を管理するメインサーバー（３１）、及び前記サーバー、前記データベース、人工知能ロボット（３８）及び感知プログラム（３７）を管理する制御部（３６）からなる管理者サーバー（３０）と、
必要に応じて位置データ伝送手段（２１）が設けられるインターネット接続サービス業者サーバー（２０）とからなる接続が容易なインターネット検索システム。
【発明の詳細な説明】
【０００１】
（技術分野）
本発明は一般に検索が容易なインターネット検索システム及び方法に係り、より詳しくは使用者が多様なウェブサイト情報をカテゴリ別に分類してデータベースに記憶し、使用者が検索エンジンにより検索を行うとき、使用者が接続したウェブサイトの特性を使用者のインターネット接続手段に形成されたクッキー及び／又はインターネット一時ファイルを用いて分析し、分析特性によって検索結果をまず出力して、迅速で便利な検索ができるようにするとともにウェブサイトの検索ができるようにし、使用者の位置付近の検索結果をディスプレイすることができ、一般のキーワード型検索エンジン、フロント−エンド型検索エンジン及び知能型検索エンジンに分類されるキーワード型検索エンジンと、主題別検索エンジンとで多様な形態の検索が行えるようにする検索が容易なインターネット検索システム及び方法に関するものである。
【０００２】
（背景技術）
インターネットは全世界の数多いサーバーが互いに連結された巨大でかつ効率的な情報蓄積及び提供媒体であって、電子メール、ニュースグループサービス、ファイル伝送、情報伝送、情報検索などの多様な目的で用いられる。
【０００３】
インターネットは期待以上に早く拡張してきた。インターネットサイトは４ヶ月ごとに２倍ずつ増加しているが、その理由は、会社だけでなく個人が自分の公開のためにホームページを製作するからである。多くの人々が芸術、文学、科学、医学、娯楽、スポーツ、政治、技術、経済などの多様な分野に対する関心事を自分のホームページに載せている。全世界で出ているつまらないものから専門的なものまでも含む毎日ニュースが各分野で同じ関心を有する人々が作ったニュースグループで取り扱われている。
【０００４】
インターネットのコンテンツが多様になるにつれて、インターネットを介して提供される情報量も急激に増加している。したがって、インターネット上で多くの情報のなかで所望の情報を選択するためには、特別な技術が必要である。検索エンジンはこのような技術を実行することができる。
【０００５】
検索エンジンとは、インターネット上の多くのサイトのなかで所望の情報を含んでいるサイトを使用者が検索するに役立つインターネットサイトをいう。インターネットには数百の検索エンジンが存在する。
【０００６】
検索エンジンを分類する基準は公式的に確立されていない。しかし、一般に、検索エンジンは動作のパターンによって主題別検索エンジンとキーワード別検索エンジンに分類される。このキーワード別検索エンジンは一般のキーワード別検索エンジン、フロント−エンド型検索エンジン及び知能型検索エンジンにさらに分類される。
【０００７】
しかし、全ての検索エンジンは前述したようにはっきり分類できない。すなわち、主題別検索エンジンの代表的な検索エンジンである“ＹＡＨＯＯ”はキーワード別検索を支援している。キーワード別検索エンジンはたいていキーワード別検索だけでなく主題別検索も同時に支援する。
【０００８】
主題別検索エンジンとは、インターネット上の情報を社会、文化、芸術、スポーツ、政治などの主題別に分類した目録を提供する検索エンジンをいう。これらはディレクトリサーバー、主題別カタログ及びメニュー検索エンジンと呼ばれる。主題別検索エンジンは正確なキーワードを選択し得ない場合に該当情報に容易に接近できるという利点があるが、上位分類、中間分類及び下位分類などの多様な段階を経由しなければならないため、中間段階を誤って設定すると該当情報に接近することができないという危険がある。
【０００９】
一般のキーワード別検索エンジンとは、ホームページコンテンツ及びＵＲＬ（又はホームページ住所）が自体データベースに整えられた検索エンジンをいう。このような一般のキーワード別検索エンジンはいくつかのキーワードを入力するだけで所望の情報を検索することができるという利点があるが、正確なキーワードを選択することができない場合、誤結果の出力のため、長時間が消費される問題がある。フロント−エンド型検索エンジンは、多くの検索エンジンが単一画面に集まった検索エンジンと言われるもので、自体データベースを構築せず多様な検索エンジンのクエリーボックスのみを提供する。これらは、ほかの検索エンジンとインターフェースする機能をするため、フロント−エンド型検索エンジンと呼ばれる。このフロント−エンド型検索エンジンは、多くの検索エンジン間で移動する不便さなしで単一画面で多様な検索エンジンを用いることができ、ＨＴＭＬ文書だけでなく公開ソフトウェア、ニュースグループ及び科学文書も検索することができるという利点があるが、自体データベースを持っていないため、各検索エンジンの多様な検索オプションを支援することができなく、正確な検索に限界があるという欠点がある。
【００１０】
一方、知能型検索エンジンは、マルチスレッド技法により情報を検索する検索エンジンと言われる。前記フロント−エンド型検索エンジンは各検索エンジンにクエリーボックスが設けられるが、知能型検索エンジンは、多数の検索エンジンによる同時検索機能を提供するため、数十の検索エンジンに一つのクエリーボックスが設けられる。１回のキーワード入力によって検索が行われるので、知能型検索エンジンは、情報を簡単に検索することができ、多様な検索エンジンから出力結果を得ることができるという利点があるが、多数の検索エンジンを参照して検索速度が低下し、多数の検索エンジンで検索して単一画面に出力された結果から所望の情報を選択するのに長い時間がかかるという欠点がある。
【００１１】
前述した検索エンジンは単一画面に検索結果を出力するので、所望の情報のほかに過多な情報が出力される。したがって、出力された情報のなかで所望の情報を選択するのにかなりの時間と努力が求められる。また、使用者が地方で情報を検索しようとする場合、所望の情報のほかに過多な情報が出力されるので、正確な情報を得ることができない。
【００１２】
例えば、釜山で住んでいる使用者が釜山の劇場で現在上映している映画に関する情報を得るため、多様な検索エンジンに“映画”というキーワードを入力して検索結果を出力する場合、釜山を除くほかの地方の劇場で上映している映画に関する全ての情報が出力されるので、出力された情報のなかで所望の情報を選択するのに相当な時間がかかる。
【００１３】
すなわち、従来の検索エンジンは局地的な特性を有するホームページ又は情報、あるいは使用者の位置付近の情報を検索し難いという問題がある。
【００１４】
一方、クッキーはウェブブラウザに現在状態を記憶させるのに一時的に用いられるテキストファイルである。このクッキーは端末機が以前にインターネットに接続した環境に関する情報を記憶し、つぎの接続時に用いられる。ウェブブラウザは状態という概念を使用しないため、これを補完するために導入された。インターネット一時ファイルは、インターネットに接続したとき、ウェブサイトのファイルを一時記憶するためのファイルである。このインターネット一時ファイルは、つぎの接続時に、クッキーを発生するか、又は使用するためのものである。しかし、実際にインターネット一時ファイルはインターネット接続速度を向上させるために用いられるばかりで、特別な機能はしない。したがって、使用者はインターネット一時ファイルをしばしば削除し、コンピュータの大きな容量を占めるものと見なしている。
【００１５】
ＴＣＰ／ＩＰ（Ｔｒａｎｓｍｉｓｓｉｏｎ Ｃｏｎｔｒｏｌ Ｐｒｏｔｏｃｏｌ／Ｉｎｔｅｒｎｅｔ Ｐｒｏｔｏｃｏｌ）はネットワークプロトコルコミュニケーションコントロール手順の一つである。データはネットワークを介して伝送され、データはパケットという単位に分割されて伝送される。この際、ＩＰはデータパケットを一位置からほかの位置に移動させる一方、ＴＣＰはデータの流れを管理し、データが正しいかを判断する機能をする。ＴＣＰ／ＩＰは百以上のプロトコルの集合体であって、国防総省先進研究計画庁（ＡＲＰＡ）、大学及び研究室のコンピュータを連結するＡＲＰＡＮＥＴに用いられるプロトコルであり、米国の国防総省により改良され標準化された。ＴＣＰ／ＩＰはコンピュータネットワークプロトコル、とりわけＵｎｉｘ（登録商標）用国際標準プロトコルとして用いられた。オープンシステムインターコネクション（Ｏｐｅｎ　Ｓｙｓｔｅｍｓ　Ｉｎｔｅｒｃｏｎｎｅｃｔｉｏｎ）規範モデルによると、ＴＣＰはトランスポート層に分類され、ＩＰはネットワーク層に分類される。ＴＣＰ／ＩＰは前述した目的以外の目的では用いられない。
【００１６】
（発明の開示）
したがって、本発明は前記従来技術の問題点に鑑みてなされたもので、その目的は、使用者が検索エンジンを用いて情報を検索しようとする場合、使用者が以前に接続したウェブサイトの特性に適合した検索結果を使用者に知らせることにより、使用者が情報だけでなくウェブサイトを迅速で便利に検索することができる検索が容易なインターネット検索システム及び方法を提供することにある。
【００１７】
本発明のほかの目的は、使用者の位置に応じて、使用者の位置付近の情報を検索することができる検索が容易なインターネット検索システム及び方法を提供することにある。
【００１８】
本発明のさらにほかの目的は、特定地域の情報を容易に獲得することができ、多様な形態の検索が容易に行えるインターネット検索システム及び方法を提供することにある。
【００１９】
前記目的及びそのほかの目的を達成するため、本発明は、使用者が多様なウェブサイト情報をカテゴリ別に分類してデータベースに記憶し、使用者が検索エンジンにより検索を行うとき、使用者が接続したウェブサイトの特性を使用者のインターネット接続手段に形成されたクッキー及び／又はインターネット一時ファイルを用いて分析し、分析特性とキーワード別検索及び主題別検索によって検索結果を出力し、情報が管理地域によって分類されるように情報をデータベース化し、使用者の位置を確認するか又は所定の記号を入力して、検索結果として使用者付近の情報を先に出力するので、所望の情報を選択するための時間及び努力が節減され、地域、産業及び主題指標グループが３次元形態に整えられて、単一クエリーボックスを用いて所望の情報を正確に検索することができるインターネット検索システム及び方法を提供する。
【００２０】
（発明を実施するための最良の様態）
以下、本発明をより詳細に説明する。
【００２１】
本発明による検索が容易なインターネット検索システムは、インターネットに接続し、多様なウェブサイトを検索して所望の情報を獲得するためのもので、使用者が接続したウェブサイトに関する情報が自動に記憶されるクッキー及び／又はインターネット一時ファイル、一位置からほかの位置にデータパケットを伝送し、データ流れを管理し、ネットワークを介してデータが伝送されるとき、データが正しいか否かを判断するＴＣＰ／ＩＰ、ＧＰＳ又はＧＩＳ（Ｇｅｏｇｒａｐｈｉｃ　Ｉｎｆｏｒｍａｔｉｏｎ　Ｓｙｓｔｅｍ）を含む位置データ伝送手段、前記インターネットに連結される通信手段、及び感知又は人工知能ロボットからなる使用者端末機と；前記位置データ伝送手段から伝送された位置データを受信する位置データ受信手段、受信した位置データを分析する位置データ分析手段、人工知能ロボットが収集して分類したデータが記憶される多数のデータベース、前記データベースを管理し、命令に応じて結果を選択して提供する多数の検索エンジンサブサーバー、前記サブサーバーを管理するメインサーバー、及び前記サーバー、前記データベース、人工知能ロボット及び感知プログラムを管理する制御部からなる管理者サーバーと；必要に応じて位置データ伝送手段が設けられるインターネット接続サービス業者サーバーとからなる。
【００２２】
本発明による検索が容易なインターネット検索方法は、使用者が多様なウェブサイト情報をカテゴリ別に分類してデータベースに記憶し、使用者が検索エンジンにより検索を行うとき、使用者が接続したウェブサイトの特性を使用者のインターネット接続手段に形成されたクッキー及び／又はインターネット一時ファイルを用いて分析し、分析特性とキーワード別検索及び主題別検索によって検索結果を出力し、情報が管理地域によって分類されるように情報をデータベース化し、使用者の位置を確認するか又は所定の記号を入力して、検索結果として使用者付近の情報を先に出力するので、所望の情報を選択するための時間及び努力が節減され、地域、産業及び主題指標グループが３次元形態に整えられて、単一クエリーボックスを用いて所望の情報を正確に検索することができることを特徴とする。
【００２３】
使用者が前記管理者サーバーから提供する検索エンジンを用いて特定のウェブサイトを検索し、使用者端末機が提供するブラウザウィンドウ内の該当ウェブサイトの均一なリソースロケータを直接入力して特定ウェブサイトに接続する全ての場合に関する情報は使用者インターネット接続手段のクッキー及び／又はインターネット一時ファイルに自動に記憶される。
【００２４】
そのほかに、データパケットを一位置からほかの位置に伝送し、データの流れを管理し、ネットワークを介してデータが伝送されるとき、データが正しいか否かを判断する機能をするＴＣＰ／ＩＰには多様なデータが記憶される。
【００２５】
前記インターネット接続手段の前記クッキー及び／又はインターネット一時ファイルと前記ＴＣＰ／ＩＰに自動に伝送されたデータとウェーブサイトの情報は、使用者が情報を検索するため検索エンジンに接続してキーワードを入力する場合に用いられる。
【００２６】
すなわち、使用者が情報を検索するため検索エンジンに接続してキーワードを入力すると、検索エンジンは使用者インターネット接続手段のクッキー及び／又はインターネット一時ファイルとＴＣＰ／ＩＰに自動に記憶された伝送情報及びウェブサイトの情報の特性を確認し、以前の検索結果及び以前に伝送されたデータから得た情報の特性と同一な特性を有する第１検索結果を表示する。
【００２７】
図１及び図２に示すように、本発明は、インターネットに接続し、多様なウェブサイトを検索して所望の情報を獲得するためのもので、使用者が接続したウェブサイトに関する情報が自動に記憶されるクッキー１１及び／又はインターネット一時ファイル１２、一位置からほかの位置にデータパケットを伝送し、データ流れを管理し、ネットワークを介してデータが伝送されるとき、データが正しいか否かを判断するＴＣＰ／ＩＰ１３、ＧＰＳ又はＧＩＳ（Ｇｅｏｇｒａｐｈｉｃ　Ｉｎｆｏｒｍａｔｉｏｎ　Ｓｙｓｔｅｍ）を含む位置データ伝送手段１４、前記インターネットに連結される通信手段１５、及び感知又は人工知能ロボット１６からなる使用者端末機１０と、前記位置データ伝送手段１４から伝送された位置データを受信する位置データ受信手段３３、受信した位置データを分析する位置データ分析手段３４、人工知能ロボットが収集して分類したデータが記憶される多数のデータベース３５、３５’、３５”、前記データベースを管理し、命令に応じて結果を選択して提供する多数の検索エンジンサブサーバー３２、３２’、３２”、前記サブサーバー３２、３２’、３２“を管理するメインサーバー３１、及び前記サーバー、前記データベース、人工知能ロボット３８及び感知プログラム３７を管理する制御部３６からなる管理者サーバー３０と、必要に応じて位置データ伝送手段２１が設けられるインターネット接続サービス業者サーバー２０とからなる接続が容易なインターネット検索システムを提供する。
【００２８】
前記使用者が前記管理者サーバー３０から提供する検索エンジンを用いて特定のウェブサイトを検索し、使用者端末機が提供するブラウザウィンドウ内の該当ウェブサイトの均一なリソースロケータを直接入力して特定ウェブサイトに接続する全ての場合に関する情報は使用者インターネット端末機１０のクッキー１１及び／又はインターネット一時ファイル１２に自動に記憶される。
【００２９】
そのほかに、データパケットを一位置からほかの位置に伝送し、データの流れを管理し、ネットワークを介してデータが伝送されるとき、データが正しいか否かを判断する機能をするＴＣＰ／ＩＰ１３には多様なデータが記憶される。
【００３０】
前記使用者端末機１０のクッキー１１及び／又はインターネット一時ファイル１２とＴＣＰ／ＩＰ１３に自動に記憶された情報は、使用者が情報を検索するため検索エンジンに接続してキーワードを入力する場合に用いられる。
【００３１】
すなわち、使用者が情報を検索するため検索エンジンに接続してキーワードを入力すると、検索エンジンは使用者端末機１０及び前記ＴＣＰ／ＩＰ１３のクッキー１１及び／又はインターネット一時ファイル１２に自動に記憶された前記情報の特性を確認し、以前の検索結果から得た情報の特性と同一な特性を有するカテゴリ内の第１検索結果を表示する。
【００３２】
管理者サーバー３０には、情報が特性によって多様なカテゴリに分類されて記憶された多数のデータベース３５、３５’、３５”が構築される。
【００３３】
管理者は多様なウェブサイトをサーフィンし、ウェブサイト上の情報を分類して管理者データベースに記憶する。検索エンジンにより自分のウェブサイトが検索されるようにするほかのウェブサイト管理者５０は、検索エンジンの管理者が決定した分類によって自分のウェブサイトの特性を予め登録する。
【００３４】
前記管理者は前記情報を精密に分類して情報が正確に検索されるようにする。
【００３５】
前記情報は地域、セクション、種類、関連分野などのように多様に分類される。一つの情報が二つ以上に分類されると、情報は該当分類の全てに登録される。
【００３６】
ＰＣ、ＰＤＡ又は携帯電話のようなインターネット接続機能を有し、ウェブサイトに接続しながら多様な情報を獲得することができ、ウェブサイトに接続したときにウェブサイトに関する情報が自動に記憶されるクッキー及び／又はインターネット一時ファイルを生成して記憶させることができ、ネットワークを通じたデータ伝送を可能にするＴＣＰ／ＩＰを有するものであれば、どんな装置でも使用者端末機１０として用いられる。
【００３７】
管理者サーバー３０は管理者データベース３５、３５’、３５”を含むだけでなく、使用者端末機１０に両方向に接続し、クッキー１１、インターネット一時ファイル１２及びＴＣＰ／ＩＰ１３を検索し、その情報の特性を把握する手段、好ましくは感知プログラムを含む。この感知プログラムは当業者により容易に構成できるものである。
【００３８】
また、管理者サーバー３０の検索エンジンには、本発明のインターネット検索システムが適用されないようにして、使用者が一般の情報検索を望むときに一般の検索エンジンのようにランダムな検索結果が表示されるようにする手段が設けられる。
【００３９】
すなわち、使用者が獲得した情報とは異なる情報を得ようとする場合、クッキー１１及び／又はインターネット一時ファイル１２及びＴＣＰ／ＩＰ１３の特性の把握なしに全ての関連情報及びウェブサイトが表示される。
【００４０】
以下、本発明の実施例を説明する。まず、特定のウェブサイトを検索する使用者は、使用者端末機１０を介してインターネットに接続して多様なウェブサイトを検索する方式で所要情報を得る。
【００４１】
この際、使用者が接続したウェブサイト３０に関連する情報はインターネット接続手段１０のクッキー１１及び／又はインターネット一時ファイル１２に記憶される。
【００４２】
また、データパケットを一位置からほかの位置に伝送する機能をするＴＣＰ／ＩＰ１３に記憶された多様なデータは、データの流れを管理し、ネットワークを介してデータが伝送されるときにデータが正しいか否かを判断する。
【００４３】
管理者は人工知能ロボット１６を介して多様なウェブサイトをサーフィンし、そのウェブサイト上の情報を分類して管理者データベース３５、３５’、３５”に記憶させる。自分のウェブサイトが検索エンジンにより検索されるようにするほかのウェブサイト管理者５０は、検索エンジンの管理者が決定した分類によって自分のウェブサイトの特性を予め登録する。
【００４４】
その後、使用者が管理者サーバー３０から提供した検索エンジンを用いて特定情報を検索するためにキーワードを入力すると、管理者サーバー３０は使用者端末機１０に両方向に接続し、クッキー１１及び／又はインターネット一時ファイル及びＴＣＰ／ＩＰ１３を検索し、このクッキー１１及び／又はインターネット一時ファイル１２及びＴＣＰ／ＩＰ１３の特性を把握し、この把握した特性と同一な特性を有するウェブサイトに関するカテゴリの情報及びウェブサイトの情報を管理者データベース３５、３５’、３５”から使用者端末機１０に伝送する。
【００４５】
例えば、使用者がインターネットを介して多くの医学論文を得たとすると、使用者端末機１０のクッキー１１及び／又はインターネット一時ファイル１２はたいてい医学論文に関連したものである。使用者が管理者から提供された検索エンジンを用いて情報を検索するため、“片頭痛”というキーワードを入力すると、管理者サーバー３０は使用者端末機１０に両方に接続し、クッキー１１及び／又はインターネット一時ファイル１２を検索して、殆どの発生したクッキー１１及び／又はインターネット一時ファイル１２の特性が“医学論文”であることを把握し、まず片頭痛に対する医学論文に関する情報及び関連ウェブサイトを管理者データベース３５、３５’、３５”から検索して検索結果を出力する。
【００４６】
本発明で用いられた検索エンジンは、使用者位置決め手段によるＧＰＳ又はＧＩＳを用いる検索エンジンと、キーワードを所定の記号とともに入力する方法を用いる検索エンジンと、使用者が使用する通信網でサーバーの位置を確認する方法を用いる検索エンジンと、検索エンジンに形成された管理区域のハイパーテキストリンクがクリックされたかを判断する方法を用いる検索エンジンとに分類できる。
【００４７】
一方、使用者の位置は使用者の土地登記簿、土地番号、郵便番号及びインターネットプロトコルアドレス、ホスト及びインターネットプロトコル提供業者だけでなく、管理者サーバー３０の感知プログラム３７が提供した人工知能ロボット３８が提供した情報を用いて確認することができる。
【００４８】
データベース３５、３５’、３５”はそれぞれ主題、産業、キーワード及び地域によって構成されている。主題、産業及びキーワード別検索は主題、産業及びキーワードを用いて行える。主題、産業及びキーワード別検索は使用者位置決め手段３３、３４により確認した使用者の位置に基づいて使用者付近の情報を検索することから始めてその結果を出力する。
【００４９】
ＧＰＳ又はＧＩＳを用いる検索エンジンにおいて、使用者位置データ受信手段は、使用者端末機１０に装着された位置データ伝送手段１４と、前記使用者端末機１０の伝送手段１４から伝送された位置データを受信して前記管理者サーバー３０の受信手段３１に伝送する衛星６０と、前記衛星６０から伝送された位置データを受信する位置データ受信手段２１と、受信された位置データを分析する位置データ分析手段３４と、分析結果によるデータベース３５、３５′、３５″の地域指標に基づいて使用者付近の該当情報を出力する制御部３６とからなる。
【００５０】
使用者端末機１０に装着された位置データ伝送手段１４は使用者端末機１０の通信手段１５に連結されるので、前記通信手段１５が動作しているうちに自動に位置データを前記衛星６０に伝送する。
【００５１】
前記伝送された位置データは前記衛星６０を介して管理者サーバー３０の位置データ受信手段３３が受信する。この受信されたデータは、使用者が情報を獲得するため検索エンジンを動作させるとき、地理的に近い順に該当情報を出力するのに分析されて使用される。
【００５２】
出力された情報はサーバー３０を介して使用者端末機１０に伝送され、使用者は伝送された情報から適切な情報を選択する。
【００５３】
キーワードとともに所定の記号を入力する方法を用いる検索エンジンにおいては、使用者位置決め手段は、区域を特定方法で多くの地域に分割し、この地域に固有番号を付与した地域番号部（図示せず）と、使用者が入力した地域番号によって位置データを分析する位置データ分析手段３４と、分析された位置データによるデータベース３５、３５’、３５”の地域指標に基づいて使用者付近の該当情報のみを出力する制御部３６とからなる。
【００５４】
すなわち、管理者サーバー３０には地域を指示する数が予め与えられる。この数のいずれか一つが、使用者のキーワード入力時にキーワードとともに入力されるか、又は主題別又は産業別検索の実行前に入力されると、使用者付近の該当情報から出力し始める。
【００５５】
より具体的に、地域番号は予め郵便番号の形態に作られ、この地域番号はそれぞれ地域指標に割り当てられる。使用者が自分の位置によって前後にキーワードが結合された地域番号を入力する場合、位置データ分析手段３４は地域番号をキーワードから分離しながら認識して、制御部３６が検索を実行するようにする。出力し始める使用者付近の情報によって、出力された情報はサーバー３０を介して使用者端末機１０に伝送され、使用者は提供された情報のなかで適切な情報を選択する。
【００５６】
一方、使用者が使用するネットワークのサーバーの位置を確認する方法を用いる検索エンジンにおいて、使用者位置決め手段は、使用者が検索エンジンサーバー３０に接続するために使用したＩＳＰサーバー２０に装着された位置データ伝送手段２１から伝送された位置データを受信して伝送する衛星６０と、前記衛星６０から伝送される位置データを受信する位置データ受信手段３３と、受信した位置データを分析する位置データ分析手段３４と、分析した位置データによるデータベース３５、３５’、３５”の地域指標に基づいて使用者付近の該当情報のみを出力する制御部３６とからなる。
【００５７】
ＧＰＳ又はＧＩＳを用いる検索エンジンの位置データ伝送手段１４は使用中のＩＳＰサーバー２０に装着された位置データ伝送手段２１と取り替えられる。
【００５８】
一方、検索エンジンに形成された管理区域のハイパーテキストリンクがクリックされたかを判断する方法を用いる検索エンジンにおいて、使用者位置決め手段は、区域を特定方法により多くの地域に分割し、この地域に固有番号を付与した地域番号部（図示せず）と、前記地域指標４０を表示するハイパーテキストリンクと、使用者が入力した地域番号によって位置データを分析する位置データ分析手段３４と、分析された位置データによるデータベース３５、３５’、３５”の地域指標に基づいて使用者付近の該当情報のみを出力する制御部３６とからなる。
【００５９】
すなわち、使用者が地域を示すハイパーテキストリンクをクリックした後、主題、産業又はキーワード別検索を行う場合、使用者がクリックしたハイパーテキストリンクによる位置データ分析手段３４がデータを分析し、制御部３６は、区域を所定の方法で多くの地域に分割し、この地域に固有番号を付与した地域番号部（図示せず）と、データベース３５、３５’、３５”の地域指標に基づいて使用者付近の該当情報のみを出力する。
【００６０】
また、使用者の位置は、使用者の同意によって、使用者端末機に装着された人工知能ロボット１６から位置データを受信する方式で、管理者サーバー３０に含まれた感知プログラム３７により容易に確認することができる。
【００６１】
かかる検索エンジンにおいて、使用者の位置確認により該当地域の情報のみが出力され、同時に、使用者が検索エンジンに接続するかあるいは入力するかクリックする。使用者がより広い地域の情報を獲得するため、広い地域を示すハイパーテキストリンクをクリックすると、先に情報を検索した地域より広い地域の情報が出力される。
【００６２】
例えば、“オグム洞”という下位地域で検索を実行して、上位地域を示すハイパーテキストリンクをクリックすると、“ソンパ区”という上位地域の情報が出力される。
【００６３】
本発明において、管理分割によって区域を多くの地域に分割することができるが、この分割はこれに限定されるものでなく、ランダムに実行できるものである。
【００６４】
一方、本発明の検索エンジンは、世界中で用いられるように多様な言語に変換されるように構成できる。
【００６５】
以下、本発明の検索エンジンに画面を表示する方法を、使用者端末機１０のモニタに検索画面が表示される例を示す図３を参照して説明する。
【００６６】
より具体的に、ハイパーテキストリンクを３次元形態に構成する。このハイパーテキストリンクにおいて、地域指標グループ４０は一側面に整えられ、主題指標グループ４１は他側面に整えられ、産業指標グループ４２はさらにほかの面に整えられ、クエリーボックス４３は中心に整えられている。少なくとも二つの地域、主題及び産業指標グループに共通する情報を選択して提供する。
【００６７】
そのほかに、二つの地域、主題及び産業指標グループ４０、４１、４２を一側面に位置させ、一つの指標グループを残り二つの側面の中心に位置させることができる。
【００６８】
図３はクエリーボックスに“マスメディア”というキーワードを入力して得た結果を示す図である。使用者が前記結果の“ＭＢＣ”をクリックすると、ＭＢＣのホームページ又は多様な放送番組のいずれか一つが最上面に現れる。この際、使用者が前記ホームページアドレスをクリックするとＭＢＣのモームページに接続され、そのホームページの画面が図３の衛星放送の下に表示されるが、使用者が放送番組をクリックすると、多様な放送番組の一つが実時間で表示される。
【００６９】
ここで簡単な例を説明したが、本発明は多様な方式で適用可能なものである。
【００７０】
以上、本発明の好ましい実施例を例として説明したが、当業者であれば、添付する特許請求の範囲に開示した本発明の範囲及び精神から逸脱しないで多様な変形例、付加例及び代替例が可能であることが分かる。
【００７１】
以上詳細に説明したように、本発明による検索が容易なインターネット検索システム及び方法によると、使用者は多様なウェブサイト情報をカテゴリ別に分類してデータベースに記憶し、使用者が検索エンジンにより検索を行うとき、使用者が接続したウェブサイトの特性を使用者のインターネット接続手段に形成されたクッキー及び／又はインターネット一時ファイルを用いて分析し、分析特性とキーワード別検索及び主題別検索によって検索結果を出力する検索エンジンを用いる。また、情報が管理地域によって分類されるように情報をデータベース化し、使用者の位置を確認するか又は所定の記号を入力して、検索結果として使用者付近の情報を先に出力する。その結果、所望の情報を選択するための時間及び努力が節減され、地域、産業及び主題指標グループが３次元形態に整えられるので、単一クエリーボックスを用いて所望の情報を正確に検索することができる。
【図面の簡単な説明】
【図１】
図１は、本発明によるインターネット検索システムの構成を示す図である。
【図２】
図２は、本発明によるインターネット検索方法を示すフローチャートである。
【図３】
図３は、本発明のインターネット検索方法を説明するため、使用者端末機の画面を示す図である。
【符号の説明】
１０　使用者端末機
１１　クッキー
１２　インターネット一時ファイル
１３　ＴＣＰ／ＩＰ
１４　位置データ伝送手段
１５　通信手段
１６　感知又は人工知能ロボット
２０　ＩＳＰサーバー
２１　位置データ伝送手段
３０　管理者サーバー
３１　検索エンジンメインサーバー
３２、３２’、３２”　検索エンジンサーバーサブサーバー
３３　位置データ受信手段
３４　位置データ分析手段
３５、３５’、３６”データベース
３６　制御部
３７　感知プログラム
３８　人工知能ロボット
４０　地域指標グループ
４１　主題指標グループ
４２　産業指標グループ
４３　クエリーボックス
【図２】
2004510257.tif 000003
【図３】
2004510257.tif 000004
【国際公開パンフレット】
2004510257.tif 000005
2004510257.tif 000006
2004510257.tif 000007
2004510257.tif 000008
2004510257.tif 000009
2004510257.tif 000010
2004510257.tif 000011
2004510257.tif 000012
2004510257.tif 000013
2004510257.tif 000014
2004510257.tif 000015
2004510257.tif 000016
2004510257.tif 000017
2004510257.tif 000018
2004510257.tif 000019
2004510257.tif 000020
2004510257.tif 000021
2004510257.tif 000022
2004510257.tif 000023
2004510257.tif 000024
2004510257.tif 000025
【国際調査報告】
2004510257.tif 000026